(57)【特許請求の範囲】
【請求項１】
外側に複数の操作パネルを有するゲーム機本体と、前記ゲーム機本体の上面に設けられて前記ゲーム機本体を覆う蓋と、前記蓋を上下に開閉するための開閉装置とを有するゲーム機であって、
前記開閉装置は、前記操作パネル間で、互いに対向する位置に配置された一対の開閉機構を有し、
前記開閉機構は、前記蓋側に設けられた可動側ロック機構と、前記ゲーム機本体側に設けられた固定側ロック機構とを有し、
前記可動側ロック機構は、前記蓋に回動可能に垂下保持された支持部材と、前記固定側ロック機構により係合保持可能にされた係合部材とを有し、
前記固定側ロック機構は、前記支持部材を支持解除可能に支持する開放支持部材を有することを特徴とするゲーム機。
【請求項２】
請求項１において、
前記ゲーム機本体には、前記操作パネル対応位置に複数の景品獲得用のテーブルが配置され、
前記操作パネルを操作して前記テーブルに載置された景品を獲得するゲームを行うことを特徴とするゲーム機。
【請求項３】
請求項１または２において、
前記蓋は、透明な半球状のカバーとされていることを特徴とするゲーム機。
【発明の詳細な説明】
【０００１】
【発明の属する技術分野】
本発明は、ゲーム機に関し、特に、蓋の開閉を容易に行えるゲーム機に関する。
【０００２】
【背景技術及び発明が解決しようとする課題】
従来より、景品を獲得するタイプのゲーム機が知られている。
【０００３】
このタイプのゲーム機では、半球状のドーム形状を成す透明カバーに覆われたゲーム機本体内に景品獲得用の複数のテーブルを用意し、この複数のテーブルに対応して設けられた複数の操作パネルをプレーヤが操作することで、テーブル上に載置された景品を獲得するというゲームが行われている。
【０００４】
このようなゲーム機にあっては、ゲーム機の稼働中、もしくはゲームセンターが終了した後に、その内部の景品を補充したり、偏って存在する景品を均一にならすといった作業が必要となる。
【０００５】
このような、景品の補充や景品を均一にならす作業を行うためには、ドーム形状の透明カバーをその都度開閉しなければならない。
【０００６】
しかし、このようなゲーム機にあっては、操作パネルと一緒にドーム形状の透明カバーを固定する状態となっているため、透明カバーを開けるためには、操作パネルを固定しているボルト等を一旦取り外さなければならず、手間がかかるものであった。
【０００７】
さらに、透明カバー自体には支持機構が設けられておらず、透明カバーを開く場合、作業者が透明カバーを持ち上げて一旦他の場所にどけ、景品の補充作業を行うか、あるいは、一人が透明カバーを持ち上げて開放状態を維持しつつ、もう一人が景品を補充するという複数人による景品補充作業が必要であった。
【０００８】
そのために、作業が極めて大変であり、また、女性等が透明カバーを持ち上げる作業を行うのは困難なものであった。
【０００９】
本発明の目的は、ゲーム機の透明カバー等の蓋を容易に開閉することができ、かつ、開放状態を維持することのできるゲーム機を提供することにある。
【００１０】
【課題を解決するための手段】
前記目的を達成するため、本発明のゲーム機は、外側に複数の操作パネルを有するゲーム機本体と、前記ゲーム機本体の上面に設けられて前記ゲーム機本体を覆う蓋と、前記蓋を上下に開閉するための開閉装置とを有するゲーム機であって、
前記開閉装置は、前記操作パネル間で、互いに対向する位置に配置された一対の開閉機構を有し、
前記開閉機構は、前記蓋側に設けられた可動側ロック機構と、前記ゲーム機本体側に設けられた固定側ロック機構とを有し、
前記可動側ロック機構は、前記蓋に回動可能に垂下保持された支持部材と、前記固定側ロック機構により係合保持可能にされた係合部材とを有し、
前記固定側ロック機構は、前記支持部材を支持解除可能に支持する開放支持部材を有することを特徴とする。
本発明においては、前記ゲーム機本体には、前記操作パネル対応位置に複数の景品獲得用のテーブルが配置され、
前記操作パネルを操作して前記テーブルに載置された景品を獲得するゲームを行うものとすることができる。
また、本発明においては、前記蓋は、透明な半球状のカバーとすることができる。
【００１１】
【００１２】
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【００３４】
【００３５】
【発明の実施の形態】
本実施の形態は、筐体の上面に設けられた蓋を上下に開閉するための対向配置された一対の開閉機構を有する開閉装置を有し、
前記各開閉機構は、前記蓋側に設けられた可動側ロック機構と、前記筐体側に設けられた固定側ロック機構とを有し、
前記可動側ロック機構は、ヒンジ軸を介して前記蓋に回動可能に垂下保持された一対の支持部材と、前記支持部材に配置されて前記固定側ロック機構により係合保持可能にされた第１の係合部材とを有し、
前記固定側ロック機構は、前記第１の係合部材と係合または係合解除可能にされて前記蓋を開閉可能にする第２の係合部材と、前記蓋を全開した状態で前記支持部材を支持解除可能に支持する開放支持部材とを有することを特徴とする。
本実施の形態によれば、一対の開閉機構は、それぞれ可動側ロック機構にヒンジ軸を有しているので、例えば、一方の開閉機構の第２の係合部材と第１の係合部材を係合させてロックした状態で、他方の開閉機構の第２の係合部材と第１の係合部材を係合解除させてロック解除すれば、前記一方の開閉機構側のヒンジ軸を回転中心として蓋の前記他方の開閉機構側を容易に開閉可能にすることができる。
そして、この状態で蓋を全開状態にすると、支持部材が開放支持部材に支持されて全開状態で維持されることとなる。
したがって、作業者が蓋を持って他の位置にどけたり、一人が蓋を持って開放状態を維持しておいたりする必要がなく、一人で容易に作業を行うことができる。
また、双方の開閉機構をロック解除することにより、ヒンジ部材を中心とした開閉ではなく、蓋全体を開閉することができる。
本実施の形態においては、前記第２の係合部材は、前記筐体の上部側に配設され、付勢部材により係合方向に付勢されたラッチ部材にて形成されることが好ましい。
このようにすることで、ラッチ部材と付勢部材という簡単な構成で第２の係合部材を形成することができ、しかも、確実な係合状態を確保することができる。
本実施の形態においては、前記ラッチ部材は、上面に係合用ガイド部を有し、この係合用ガイド部に対する前記閉鎖保持部材の押下により前記ラッチ部材が開いて係合可能にされると共に、ロック解除機構により前記閉鎖保持部材に対し係合解除可能にされていることが好ましい。
このようにすることで、ラッチ部材に設けられた係合用ガイド部に対し閉鎖保持部材を押下することで自動的にラッチ部材が開いてラッチ部材によるロックが自動的になされ、しかも、ロック解除機構により閉鎖保持部材に対し容易にロック解除を行うことができる。
本実施の形態においては、前記固定側ロック機構は、前記筐体に沿って上下方向に配設され、前記蓋の開放時に前記支持部材の下部を前記ヒンジ軸の外方に案内するガイドレールを有すると共に、前記ガイドレールの上端内方位置に隣接して前記開放支持部材が設けられていることが好ましい。
このようにすることで、蓋を開放する際に、蓋の開放移動に伴って支持部材の下部がガイドレールに沿ってヒンジ部材の外方に案内され、支持部材の自重によって支持部材の下部が内方に付勢される状態となり、蓋の全開状態において支持部材の下部がガイドレールの上端内方位置に隣接した開放支持部材上に支持されることとなり、全開時に自動的に全開状態を維持することができる。
本実施の形態においては、前記支持部材の下部間には、前記開放支持部材上に支持される開放維持部材が設けられ、
前記開放支持部材には、前記開放支持部材上から前記開放維持部材が脱落するのを防止する脱落防止部が一体に形成されていることが好ましい。
このようにすることで、開放支持部材に設けられた脱落防止部によって支持部材の下部間に設けられた開放維持部材が脱落防止され、全開状態において蓋あるいは支持部材になんらかの外力が加わったとしても、蓋が突然閉まってしまうのを防止することができる。
本実施の形態においては、前記固定側ロック機構は、前記支持部材の上限位置で前記開放維持部材に当接して前記支持部材の抜け出しを防止する上限ストッパが設けられていることが好ましい。
このようにすることで、蓋を必要以上に開放しようとした場合に、開放維持部材が上限ストッパに当接して、支持部材の抜け出しを防止することができ、確実に上限位置で停止させて全開状態を維持することができる。
また、作業中に作業者が蓋等にぶつかって蓋が上方に持ち上げられた場合でも、上限ストッパによって支持部材の抜け出しを防止し、全開状態を維持することができる。
本実施の形態においては、前記第１の係合部材と前記第２の係合部材とが係合解除された状態で、前記蓋を途中まで持ち上げる自動持上げ機構を有することが好ましい。
このようにすることで、自動持ち上げ機構によって、ロック解除時に蓋と筐体との間に隙間を形成することができ、この隙間に手を差し込んで蓋を容易に持ち上げることができる。
また、蓋の閉塞時においても、自動持ち上げ機構によって、蓋が途中位置で停止することとなるため、安心して蓋を閉じることができる。
本実施の形態においては、前記自動持上げ機構は、前記ガイドレールの下部間に上下方向でスライド可能に配設されて前記支持部材の下端と当接可能にされた持上げ用ベース部材と、この持上げ用ベース部材を上方に付勢する付勢部材とを有することが好ましい。
このようにすることで、付勢部材によって上方に付勢された持上げ用ベース部材を支持部材の下端と当接可能にすることで、簡単な構成で自動持ち上げ機構を形成することができ、しかも、確実な動作状態を確保することができる。
本実施の形態においては、前記筐体はゲーム機本体とされ、
前記蓋は前記ゲーム機本体を覆う蓋とされていることを特徴とする。
本実施の形態によれば、ゲーム機本体を覆う蓋を容易に開閉することができ、しかも、開放状態で確実に維持することができる。
本実施の形態においては、前記蓋は、透明な半球状のカバーとされていることが好ましい。
このようにすることで、比較的重量のある透明な半球状のカバーを容易に開閉することができ、しかも、開放状態で確実に維持することができる。
実施例
以下、本発明の好適な実施の形態について、図面を参照して詳細に説明する。
【００３６】
図１〜図１１は、本発明の一実施の形態に係るゲーム機を示す図である。
【００３７】
このゲーム機１０は、図１に示すように、ゲーム機本体１２と、カバー１４とを有し、このカバー１４をゲーム機本体１２に対し開閉装置１６を用いて開閉可能にしている。
【００３８】
ゲーム機本体１２は、平面視ほぼ正八角形の筐体１８を有し、この筐体１８内に複数、例えば４つの景品獲得用のテーブル２０が９０度毎の間隔で配置された状態となっている。
【００３９】
また、これら４つのテーブル２０対応位置の筐体１８外側には、それぞれ操作パネル２２が４カ所に配置された状態となっている。
【００４０】
カバー１４は、図２〜４に示すように、透明な半球状のドーム形状とされ、ゲーム機本体１２上に配置されてテーブル２０の上方部分を覆う状態となっている。
【００４１】
そして、プレーヤが操作パネル２２を操作することによって、テーブル２０上に載置された景品を獲得するというゲームが行われるようになっている。
【００４２】
開閉装置１６は、操作パネル２２間で、互いに対向する位置に配置された一対の開閉機構２４を有している。
【００４３】
各開閉機構２４は、図５にも示すように、それぞれがカバー１４の上下方向の開閉とヒンジ兼用にされるもので、それぞれがカバー１４側に設けられた可動側ロック機構２６と、筐体１８側に設けられた固定側ロック機構２８とを有している。
【００４４】
各可動側ロック機構２６は、一対の支持部材としてのステー３０と、第１の係合部材としての閉鎖保持部材３２と、開放維持部材３４とを有している。
【００４５】
一対のステー３０は、上端部がカバー１４の外縁部に取り付けられたヒンジ軸３６を介してカバー１４に回動可能に垂下保持されている。
【００４６】
また、このステー３０の長さは、カバー１４の全開状態を維持するのに十分な長さに設定されている。
【００４７】
さらに、一対のステー３０の下端部には、ローラ３８が取り付けられた状態となっている。
【００４８】
閉鎖保持部材３２は、図６に示すように、ロッド状のもので形成され、一対のステー３０の上部間に掛け渡して取り付けられ、固定側ロック機構２８により係合保持可能にされている。
【００４９】
開放維持部材３４は、図７に示すように、断面Ｌ字状の部材で、一対のステー３０の下部間に掛け渡して取り付けられ、カバー１４が全開状態で固定側ロック機構２８により支持されて全開状態を維持可能にされている。
【００５０】
各固定側ロック機構２８は、図５〜７に示すように、一対のガイドレール４０と、第２の係合部材としてのラッチ部材４２と、開放支持部材４４と、ロック解除機構４６と、自動持ち上げ機構４８とを有している。
【００５１】
一対のガイドレール４０は、断面Ｚ型の部材からなり、ステー３０の幅に相応させて筐体１８の内側面に上下方向に亘って開口面を対向させた状態で配設され、ステー３０の下端のローラ３８を案内可能にされている。
【００５２】
また、このガイドレール４０は、下方から上方に向けて外側に傾斜する筐体１８の側面に沿って取り付けられ、カバー１４の開放時にステー３０の下端をヒンジ軸３６より外方に位置させて、ステー３０の自重によりステー下端に内方への付勢力を付与可能にしている。
【００５３】
ラッチ部材４２は、ガイドレール４０の上方で回転軸５０を中心に回転可能に取り付けられ、可動側ロック機構２６の閉鎖保持部材３２と係合して閉鎖状態を維持可能にされている。
【００５４】
具体的には、ガイドレール４０の上方には、図８にも示すように、ほぼコ字状の支持ブラケット５２が取り付けられ、この支持ブラケット５２にラッチ部材支持ブラケット５４が取り付けられ、このラッチ部材支持ブラケット５４にラッチ部材４２の回転軸５０が取り付けられた状態となっている。
【００５５】
また、このラッチ部材４２には、付勢部材としてのばね５６が取り付けられ、このばね５６によってラッチ部材４２が閉鎖保持部材３２との係合方向に付勢された状態となっている。
【００５６】
さらに、ラッチ部材４２の上面側には、傾斜状の係合用ガイド部５８が形成され、この係合用ガイド部５８に対する閉鎖保持部材３２の押下によりばね５６の付勢力に抗してラッチ部材４２が開き、自動的に係合可能にされている。
【００５７】
開放支持部材４４は、カバー１４を全開した状態で、ステー３０を支持解除可能に支持するもので、支持ブラケット５２の下端で、ガイドレール４０の上端内方位置に隣接して水平状態に設けられ、ステー３０の下端部に設けられた開放維持部材３４を載置支持可能にされている。
【００５８】
また、この開放支持部材４４には、図６及び７に示すように、その外側端に開放支持部材４４上から開放維持部材３４が脱落するのを防止するための脱落防止部６０が一体に立ち上げ形成されている。
【００５９】
さらに、ガイドレール４０の内方上端には、図６に示すように、ステー３０の開放維持部材３４が開放支持部材４４と干渉して開放支持部材４４上に支持されなくなるのを防止するために、開放支持部材３４を一旦外方に導くための返し片６２が外方に向けて形成されている。
【００６０】
また、開放支持部材４４の上方には、支持ブラケット５２とラッチ部材支持ブラケット５４との間に取り付けられた上限ストッパ６４が設けられ、この上限ストッパ６４によりステー３０の上限位置で開放維持部材３４と当接してステー３０の抜けだしを防止可能にしている。
【００６１】
この上限ストッパ６４の両面には、閉鎖保持部材３２が押下される位置に、開放保持部材３２が若干位置ずれをしていた場合でも確実にラッチ部材４２との係合位置に案内する係合用ガイド溝６６が形成されている。
【００６２】
また、この係合用ガイド溝６６は、カバー１４が例えば図６の左右方向に押された場合に、閉鎖保持部材３２とラッチ部材４２との係合が解除されるのを防止することができるようになっている。
【００６３】
ロック解除機構４６は、ラッチ部材４２による閉鎖保持部材３２のロックを解除するもので、図９及び１０に示すように、ラッチ部材４２対応位置の筐体１８に取り付けられキー差込部６８に図示せぬキーを差し込んで回すことにより回転するロック解除軸７０と、このロック解除軸７０に取り付けられて一体に回転するＬ字状の回転板７２と、この回転板７２と対向してラッチ部材４２に設けられた傾斜状の当接板７４とを有し、回転板７２が回転して当接板７４を内方に押圧することで、ばね５６の付勢力に抗してラッチ部材４２をロック解除方向に回転させて閉鎖保持部材３２に対するラッチ部材４２の係合解除を可能としている。
【００６４】
自動持ち上げ機構４８は、閉鎖保持部材３２とラッチ部材４２とがロック解除機構４６によって係合解除された状態で、カバー１４を途中まで持ち上げるためのもので、持上げ用ベース部材７６と、付勢部材としての持上げばね７８とを有している。
【００６５】
持上げ用ベース部材７６は、ガイドレール４０の下部間で、ガイドレール４０に形成した上下方向の摺動溝８０に沿って上下方向でスライド可能に配設されてステー３０の下端に設けたローラ３８と当接可能にされている。
【００６６】
持上げばね７８は、一端がガイドレール４０の摺動溝８０よりも上方位置に固定され、他端が持上げ用ベース部材７６の摺動溝８０より突出する両端部に固定されて、持上げ用ベース部材７６を常時所定距離分上方に付勢する状態となっている。
【００６７】
そして、ステー３０が押し込まれて、ローラ３８が持上げ用ベース部材７６に当接して持上げ用ベース部材を持上げばね７８の付勢力に抗して押し下げ、閉鎖保持部材３２がラッチ部材４２によってロックされた状態で全閉状態が維持される。
【００６８】
この状態から、ラッチ部材４２によるロックを解除すると、ステー３０の押し下げ力が解除されて持上げばね７８の付勢力により、持上げ用ベース部材７６を介してステー３０が所定距離上方に持上げられ、カバー１４と筐体１８との間に手を差し込めるだけの隙間を生じさせるようになっている。
【００６９】
次に、前述の開閉装置１６の開閉動作状態について説明する。
【００７０】
まず、図２に示すように、ゲーム機本体１２に対してカバー１４が全閉状態にされている場合には、一対の開閉機構２４が、それぞれ閉鎖保持部材３２に対してラッチ部材４２が係合して閉鎖状態を維持している。
【００７１】
この場合、ステー３０は、持上げばね７８の付勢力に抗して持上げ用ベース部材７６を押し下げた状態となっている。
【００７２】
次に、図３に示すように図中左側の開閉機構２４をロック状態のまま、図中右側の開閉機構２４のロック解除機構４６を操作して、回転板７２を当接板７４に当接させて、閉鎖保持部材３２に対するラッチ部材４２の係合解除を行うと、ステー３０が持上げばね７８の付勢力により、持上げ用ベース部材７６を介して上方に持上げられ、カバー１４が所定距離分だけ上方に持上げられて開放され、ゲーム機本体１２とカバー１４との間に隙間が生じる状態となる。
【００７３】
このとき、図中左側の開閉機構２４は、ヒンジ軸３６がカバー１４の回転中心となる。
【００７４】
この状態でゲーム機本体１２とカバー１４との間に形成された隙間に容易に手を差し込むことができ、カバー１４を開放しやすい状態とすることができる。
【００７５】
次に、図４に示すように、図中右側のカバー１４を上方に持上げていくと、ステー３０がカバー１４の上昇に伴って持上げられることとなる。
【００７６】
このとき、ステー３０は、下端に設けられたローラ３８がガイドレール４０に沿って外方に案内されるとともにカバー１４の開放に伴って上端部が内方に移動することとなるため、ステー３０の下部が自重により内方に付勢された状態となる。
【００７７】
そして、カバー１４を全開状態まで開放すると、ローラ３８がガイドレール４０の上端から抜け出し、ステー３０の下部に設けた開放維持部材３４がステー３０の自重により開放支持部材４４側に移動し、この状態でカバー１４から手を離すと、開放維持部材３４が開放支持部材４４上に載置支持されて全開状態を維持することとなる。
【００７８】
また、この開放に際して、カバー１４を全開状態よりも上方に開放しようとしても、開放維持部材３４が上限ストッパ６４に当接するため、それ以上の移動は許されず、しかも、ステー３０が固定側ロック機構２８側から抜け出すのを防止することもできる。
【００７９】
さらに、開放維持部材３４が開放支持部材４４上に移行する際しては、返し片６２がステー３０を外方に移動させるため、開放維持部材３４が開放支持部材４４に干渉することなく確実な移行動作が行われることとなる。
【００８０】
そして、この状態で、開放部分からゲーム機本体１２の内部の景品を補充したり、偏って存在する景品を均一にならす作業を行えばよく、カバー１４を他の場所にどけたり、他の作業者に持っていてもらったりする必要がなく、１人の作業者で容易に作業を行うことができる。
【００８１】
また、開閉機構２４は、操作パネル２２間にあるため、カバー１４の片側を開けた状態で、２つのテーブル２０に跨った状態となり、２つのテーブルの前後の３つの空間８２にわたる作業を一度に行うことができ、作業効率も向上することとなる。
【００８２】
さらに、作業中に作業者が誤ってカバー１４にぶつかってカバー１４を持上げる方向に動かしたとしても、上限ストッパ６４によりステー３０の抜け出しが防止され、かつ、脱落防止部６０によって開放維持部材３４が開放支持部材４４上から脱落してカバー１４がとじるのを防止することができる。
【００８３】
次に、作業終了後に、開放側のカバー１４を若干持上げ、ステー３０の下端部を外方に移動させて開放維持部材３４を開放支持部材４４上から外方に移動させた状態でカバー１４を降ろせば、ステー３０のローラ３８が確実にガイドレール４０内に係合され、そのままカバー１４を閉じれば、容易に閉塞が可能である。
【００８４】
この場合、ステー３０のローラ３８が持上げ用ベース部材７６に当接すると、その位置で持上げばね７８の付勢力によりゲーム機本体１２との間に隙間をあけた状態でカバー１４が停止されることとなる（図３参照）。
【００８５】
従って、カバー１４に手を差し込んだ状態で閉塞しても安心して閉塞することができる。
【００８６】
次いで、図３の状態からカバー１４を押し下げると、ステー３０が持上げばね７８の付勢力に抗して持上げ用ベース部材７６を押し下げ、それに伴って、閉鎖保持部材３２が係合用ガイド溝６６に沿って下降し、ラッチ部材４２の係合用ガイド部５８に当接し、ラッチ部材４２を内方に回転させながら係合位置まで下降して、その時点でラッチ部材４２が閉鎖保持部材３２に係合し、ロック状態となり全閉状態を維持することとなる。（図２参照）
次いで、図中左側の開閉機構２４を前述の動作と同じ動作でロック解除してカバー１４を全開状態にすれば、ゲーム機本体１２の反対側において容易かつ効率よく作業を行うことができる。
【００８７】
本発明は、前記実施の形態に限定されるものではなく、本発明の要旨の範囲内において種々の形態に変更可能である。
【００８８】
例えば、前記実施の形態では景品を獲得するゲーム機について説明したが、このゲーム機に限定されるものではなく、上下方向で開閉を行う蓋を有するゲーム機であれば種々のものに適用することが可能である。
【００８９】
また、前記実施の形態においては、一対の開閉機構の一方をヒンジとし他方を開閉する場合について説明したが、この例に限定されるものではなく、一対の開閉機構を同時に開放して蓋を垂直上方に開放することも可能である。
【図面の簡単な説明】
【図１】本発明の一実施の形態に係るゲーム機の平面図である。
【図２】図１のカバーを全閉状態にしたゲーム機の概略断面図である。
【図３】図２の状態からカバーを途中まで開放した状態を示すゲーム機の概略断面図である。
【図４】図３の状態からカバーを全開状態にしたゲーム機の概略断面図である。
【図５】筐体内部から見た開閉機構の正面図である。
【図６】開閉機構のヒンジ側の拡大断面図である。
【図７】開閉機構の全開状態における部分拡大断面図である。
【図８】固定側ロック機構の平面図である。
【図９】ロック解除機構の平面図である。
【図１０】ロック解除機構の側面図である。
【図１１】自動持上げ機構の部分拡大断面図である。
【符号の説明】
１０  ゲーム機
１２  ゲーム機本体
１４  カバー
１６  開閉装置
１８  筐体
２０  テーブル
２２  操作パネル
２４  開閉機構
２６  可動側ロック機構
２８  固定側ロック機構
３０  ステー
３２  閉鎖保持部材
３４  開放維持部材
３６  ヒンジ軸
３８  ローラ
４０  ガイドレール
４２  ラッチ部材
４４  開放支持部材
４６  ロック解除機構
４８  自動持上げ機構
５６  ばね
５８  係合用ガイド部
６０  脱落防止部
６４  上限ストッパ
７６  持上げ用ベース部材
７８  持上げばね
【図１】
0003561179.tif 000002
【図２】
0003561179.tif 000003
【図３】
0003561179.tif 000004
【図４】
0003561179.tif 000005
【図５】
0003561179.tif 000006
【図６】
0003561179.tif 000007
【図７】
0003561179.tif 000008
【図８】
0003561179.tif 000009
【図９】
0003561179.tif 000010
【図１０】
0003561179.tif 000011
【図１１】
0003561179.tif 000012